(57)【要約】【課題】ネットワーク帯域の消耗を改善し、情報統合端が処理する画面統合の演算量を減らすことができるLANによる多対一の伝送と情報表示の方法及びシステムを提供する。【解決手段】第一電子装置と、少なくとも一つの第二電子装置と、少なくとも一つの処理装置とから成るLANに用いられ、且つ出力装置と合わせて表示情報を表示するLANによる多対一の伝送と情報表示の方法であって、前記第一電子装置及び前記第二電子装置は、処理装置に伝送したい所定の表示情報を、それぞれ画面配置に基づいて事前に調整を行い、その後処理装置に伝送して、前記表示情報を統合して出力装置で出力することにより、伝送するデータ量及び統合処理の演算量を減少させる。同時に、本発明はLANによる多対一の伝送と情報表示のシステムを提供する。【選択図】図3
2007157104.tif 000002
【特許請求の範囲】
【請求項１】
第一電子装置と、少なくとも一つの第二電子装置と、少なくとも一つの処理装置とから成るLANに用いられ、且つ出力装置と合せて表示情報を表示するLANによる多対一の伝送と情報表示の方法であって、
前記第一電子装置が前記LAN上の前記処理装置のリストを提供し、使用者はその中の一つを選択するステップと、
前記第一電子装置はM個の表示領域及びそれぞれの前記表示領域の幾何情報を含む画面配置を選択された前記処理装置へ伝送する（M≧2であり、Mは正整数）ステップと、
前記第一装置が誘い要求及び前記画面配置を前記第二電子装置へ伝送するステップと、
前記第二電子装置が前記誘い要求に同意した場合、前記第二電子装置は選択された前記処理装置に通知するステップと、
前記処理装置は分配原則に基き、前記M個の表示領域を順に前記第一電子装置及びN個の誘われた前記の第二電子装置へ分配して前記表示情報を表示（１≦N≦M-1であり、Nは正整数）するステップと、
前記第一電子装置及び前記第二電子装置は分配された前記表示領域の幾何情報に基いて所定の表示情報の幾何寸法をそれぞれ調整し、且つ調整済の前記所定の表示情報を前記処理装置へそれぞれ伝送するステップと、
前記処理装置が調整済の前記所定の表示情報を受信し、且つ対応する前記表示領域を更新するステップと、
前記出力装置が前記表示領域のデータに基き、定期的に前記表示情報を更新するステップと、
を含むことを特徴とするLANによる多対一の伝送と情報表示の方法。
【請求項２】
前記リストは、前記第一電子装置が予め或いは即時に前記LAN上の前記処理装置を検索して作成した、ことを特徴とする請求項１に記載のLANによる多対一の伝送と情報表示の方法。
【請求項３】
前記第一電子装置は、前記画面配置を選択された前記処理装置へ伝送する前に、前記処理装置に対して検証工程を行う、ことを特徴とする請求項１に記載のLANによる多対一の伝送と情報表示の方法。
【請求項４】
前記第一電子装置は、前記使用者に複数の前記画面配置のテンプレートの一つを選択させる、ことを特徴とする請求項１に記載のLANによる多対一の伝送と情報表示の方法。
【請求項５】
前記第一電子装置及び/或いは前記第二電子装置は、前記所定の表示情報を前記処理装置へ伝送する前に、先に圧縮エンコードの工程を行い、前記処理装置は前記所定の表示情報を受信する時に、対応するデコード工程を行う、ことを特徴とする請求項１に記載のLANによる多対一の伝送と情報表示の方法。
【請求項６】
前記分配原則は先着順であることを特徴とする請求項１に記載のLANによる多対一の伝送と情報表示の方法。
【請求項７】
前記第一電子装置或いは前記N個の第二電子装置は、前記処理装置に前記画面配置を変更するように要求し、且つ前記画面配置が変更する場合、前記処理装置が前記第一電子装置及び前記N個の第二電子装置に通知し、前記第一電子装置及び前記N個の第二電子装置は前記画面配置が変更した後の前記表示領域の幾何情報によって前記所定の表示情報の幾何寸法を調整し、且つ前記処理装置へ伝送するステップをさらに含む、ことを特徴とする請求項１に記載のLANによる多対一の伝送と情報表示の方法。
【請求項８】
前記第一電子装置或いは前記N個の第二電子装置のうち一つが、フルスクリーンモードの要求を前記処理装置へ伝送すると、前記処理装置はその他の前記第一電子装置及び前記第二電子装置に前記所定の表示情報の伝送停止を要求し、前記出力装置はフルスクリーンモードにより前記フルスクリーンモード要求を提出した電子装置の前記所定の表示情報を表示し、且つ前記処理装置が前記フルスクリーンモードの要求を実行すると、失効命令をさらに伝送して、その他の前記第一電子装置或いは前記第二電子装置のフルスクリーンモードの要求を失効させ、前記フルスクリーンモードを終了するとき、前記処理装置は前記表示領域の分配状態を前記第一電子装置及び前記N個の第二電子装置に通知するステップを、さらに含む、ことを特徴とする請求項１に記載のLANによる多対一の伝送と情報表示の方法。
【請求項９】
前記処理装置は、前記第一電子装置及びN個の前記第二電子装置の装置名称或いは使用者名を対応する前記表示領域にそれぞれ表示し、前記第一電子装置及び前記第二電子装置は、使用中の前記表示領域を表示するステップと、をさらに含むことを特徴とする請求項１に記載のLANによる多対一の伝送と情報表示の方法。
【請求項１０】
前記表示領域の幾何情報は、長方形の長さ及び幅、及び/又は前記長方形の座標情報を含むことを特徴とする請求項１に記載のLANによる多対一の伝送と情報表示の方法。
【請求項１１】
前記第一電子装置及び前記第二電子装置はコンピュータ、PDA（Personal Digital Assistant）、携帯電話、無線映写機アダプタ、無線セット・トップ・ボックス、無線デジタルメディアアダプタ、無線CDプレーヤー、無線DVDプレーヤー、無線ビデオレコーダー、無線ゲーム機或いは無線ポータブルメディアプレーヤーであり、
前記処理装置はコンピュータ、PDA、携帯電話、無線映写機アダプタ、無線セット・トップ・ボックス、無線デジタルメディアアダプタ、無線CDプレーヤー、無線DVDプレーヤー、無線ビデオレコーダー、無線ゲーム機或いは無線ポータブルメディアプレーヤーであり、
前記出力装置は映写機、モニタ或いはテレビである、ことを特徴とする請求項１に記載のLANによる多対一の伝送と情報表示の方法。
【請求項１２】
第一電子装置と、
前記第一電子装置と信号で接続する少なくとも一つの第二電子装置と、
前記第一電子装置及び前記第二電子装置と信号で接続する少なくとも一つの処理装置で、前記第一電子装置、前記第二電子装置及び前記処理装置がLANを形成し、及び、
表示情報を表示する出力装置と、を備え、
前記第一電子装置は前記LAN上の前記処理装置を含むリストを提供して、使用者にその中の一つを選択させ、
前記第一電子装置はM個の表示領域及びそれぞれの前記表示領域の幾何情報を含む画面配置を選択された前記処理装置へ伝送し（M≧２であり、Mは正整数）、
前記第一電子装置は前記第二電子装置へ誘い要求及び前記画面配置を伝送し、
前記第二電子装置が前記誘い要求に同意すると、前記第二電子装置は選択された前記処理装置に通知し、
前記処理装置は分配原則に基き、前記M個の表示領域を順に前記第一電子装置及びN個の誘われた第二電子装置へ分配して前記表示情報を表示し（１≦N≦M-1であり、Nは正整数）、
前記第一電子装置及び前記第二電子装置は、それぞれ分配された前記表示領域の幾何情報に基いて所定の表示情報の幾何寸法を調整し、且つ調整済の前記所定の表示情報を前記処理装置へそれぞれ伝送し、
前記処理装置は調整済の前記所定の表示情報を受信し、且つ対応する前記表示領域を更新し、及び、
前記出力装置は前記表示領域のデータに基き、定期的に前記表示情報を更新する、ことを特徴とするLANによる多対一の伝送と情報表示のシステム。
【請求項１３】
前記リストは、前記第一電子装置が予め或いは即時に前記LAN上の前記処理装置を検索して作成した、ことを特徴とする請求項１２に記載のLANによる多対一の伝送と情報表示のシステム。
【請求項１４】
前記第一電子装置は、前記画面配置を選択された前記処理装置へ伝送する前に、前記処理装置に対して検証工程を行う、ことを特徴とする請求項１２に記載のLANによる多対一の伝送と情報表示のシステム。
【請求項１５】
前記第一電子装置は、前記使用者に複数の前記画面配置のテンプレートの一つを選択させる、ことを特徴とする請求項１２に記載のLANによる多対一の伝送と情報表示のシステム。
【請求項１６】
前記第一電子装置及び/或いは前記第二電子装置は、前記所定の表示情報を前記処理装置へ伝送する前に、まず圧縮エンコードの工程を行い、前記処理装置は前記所定の表示情報を受信するときに、対応するデコード工程を行う、ことを特徴とする請求項１２に記載のLANによる多対一の伝送と情報表示のシステム。
【請求項１７】
前記第一電子装置或いは前記N個の第二電子装置は、前記処理装置に前記画面配置を変更するように要求し、且つ前記画面配置が変更する場合、前記処理装置は前記第一電子装置及び前記N個の第二電子装置に通知し、前記第一電子装置及び前記N個の第二電子装置は前記画面配置が変更した後の前記表示領域の幾何情報によって前記所定の表示情報の幾何寸法を調整し、且つ前記処理装置へ伝送する、ことを特徴とする請求項１２に記載のLANによる多対一の伝送と情報表示のシステム。
【請求項１８】
前記処理装置は、前記第一電子装置或いは前記N個の第二電子装置のうち一つがフルスクリーンモードを伝送するよう要求を受信した場合、その他の前記第一電子装置及び前記第二電子装置に前記所定の表示情報の伝送停止を要求し、前記出力装置はフルスクリーンモードにより前記フルスクリーンモードの要求を提出した電子装置の前記所定の表示情報を表示し、且つ前記処理装置は前記フルスクリーンモードの要求を実行する際に、失効命令をさらに伝送して、その他の前記第一電子装置或いは前記第二電子装置のフルスクリーンモードの要求を失効させ、前記フルスクリーンモードを終了するとき、前記処理装置は前記表示領域の分配状態を前記第一電子装置及び前記N個の第二電子装置に通知する、ことを特徴とする請求項１２に記載のLANによる多対一の伝送と情報表示のシステム。
【請求項１９】
前記処理装置は、前記第一電子装置及びN個の前記第二電子装置の装置名称或いは使用者名を対応する前記表示領域にそれぞれ表示し、前記第一電子装置及び前記第二電子装置は、使用中の前記表示領域を表示する、ことを特徴とする請求項１２に記載のLANによる多対一の伝送と情報表示のシステム。
【請求項２０】
前記表示領域の幾何情報は、長方形の長さと幅、及び/又は前記長方形の座標情報を含む、ことを特徴とする請求項１２に記載のLANによる多対一の伝送と情報表示のシステム。
【請求項２１】
前記LANは有線或いは無線LANである、ことを特徴とする請求項１２に記載のLANによる多対一の伝送と情報表示のシステム。
【請求項２２】
前記第一電子装置及び前記第二電子装置はコンピュータ、PDA、携帯電話、無線映写機アダプタ、無線セット・トップ・ボックス、無線デジタルメディアアダプタ、無線CDプレーヤー、無線DVDプレーヤー、無線ビデオレコーダー、無線ゲーム機或いは無線ポータブルメディアプレーヤーであり、
前記処理装置はコンピュータ、PDA、携帯電話、無線映写機アダプタ、無線セット・トップ・ボックス、無線デジタルメディアアダプタ、無線CDプレーヤー、無線DVDプレーヤー、無線ビデオレコーダー、無線ゲーム機或いは無線ポータブルメディアプレーヤーであり、
前記出力装置は映写機、モニタ或いはテレビである、ことを特徴とする請求項１２に記載のLANによる多対一の伝送と情報表示のシステム。
【発明の詳細な説明】
【技術分野】
【０００１】
本発明はLANによる多対一の伝送と情報表示の方法及びシステムに関し、特にネットワーク帯域の消耗を減少し、且つ表示処理の負荷を低下する多対一の伝送と情報表示の方法及びシステムに関する。
【背景技術】
【０００２】
情報技術の急速な発展のため、各種情報のデジタル化応用が次第に普及してきている。その中一つに、モニタの画面をいくつかの表示領域に分割・応用する方法があり、またそれぞれの表示領域を複数の情報源に提供し、例えば、会議を行う際などに複数の情報を同時に一つのモニタ上に表示できる。
【０００３】
図１に示すように、上述した多対一の伝送と情報表示の目的を実現するため、従来の多対一の伝送と情報表示のシステム１は、第二電子装置１２、１３の未処理情報UPDを第一電子装置１１へ伝送する。第一電子装置１１は自身の未処理情報UPDと合わせて画面の統合処理を行い、次に既に統合処理した画面IPFを第三電子装置１４へ伝送する。最後に第三電子装置１４は既に統合処理をした画面IPFを出力装置１５から出力する。
【０００４】
図２は、もう一つの多対一の伝送と情報表示のシステム２である。第一電子装置２１は先ず画面配置LOに関連する情報を第三電子装置２４へ伝送する。その後第一電子装置２１及び第二電子装置２２，２３はそれぞれ未処理情報UPDを第三電子装置２４へ伝送する。第三電子装置２４は先に受信した画面配置LOに基いて画面の統合処理を行う。最後に第三装置２４は既に統合処理した画面を出力装置１５から出力する。
【発明の開示】
【発明が解決しようとする課題】
【０００５】
上述の二種の従来技術には下記の欠点が含まれる。第一に第一電子装置、第二電子装置及び第三電子装置の間はLANによって接続され、もし直接未処理の情報を伝送すると、ネットワーク帯域を大幅に消耗して、ネットワーク上のその他の使用者に影響し、さらに帯域の甚大な消耗により画面が遅延する問題も発生する。第二に、第一電子装置１１、或いは第三電子装置２４による画面統合に拘らず、情報の統合端末（第一電子装置１１或いは第三電子装置２４）は演算処理能力が良くなければならない。演算処理能力の良いハードウェア設備は、即ちハードウェアのコストが高くなることを意味する。演算処理能力が不足すると、同様に画面遅延の問題が起こる。
【０００６】
以上の理由から、多対一の伝送と情報表示のシステムについて、ネットワーク帯域の消耗を如何に改善し、情報統合端が処理する画面統合の演算量を如何に低減するのかに現在努力が払われている。
【課題を解決するための手段】
【０００７】
本発明は上述の課題を解決するためになされたものであって、その目的はネットワーク帯域の消耗を改善し、情報統合端が処理する画面統合の演算量を低減することができるLANによる多対一の伝送と情報表示の方法及びシステムを提供することである。
【０００８】
上述の目的を達成するため、本発明は、第一電子装置と、少なくとも一つの第二電子装置と、少なくとも一つの処理装置とからなるLANに用いられ、且つ出力装置と合せて表示情報を表示するLANによる多対一の伝送と情報表示の方法であって、前記第一電子装置が前記LAN上の処理装置のリストを提供し、使用者はその中の一つを選択するステップと、
前記第一電子装置がM個の表示領域及びそれぞれの前記表示領域の幾何情報を含む画面配置を選択された前記処理装置へ伝送する（M≧2であり、Mは正整数）ステップと、
前記第一装置は誘い要求及び前記画面配置を前記第二電子装置へ伝送するステップと、
前記第二電子装置が前記誘い要求に同意すれば、前記第二電子装置は選択された前記処理装置に通知するステップと、
前記処理装置は分配原則に基き、前記M個の表示領域を順に前記第一電子装置及びN個の誘われた前記の第二電子装置へ分配して前記表示情報を表示する（１≦N≦M-1であり、Nは正整数）ステップと、
前記第一電子装置及び前記第二電子装置は分配された前記表示領域の幾何情報に基いて所定の表示情報の幾何寸法をそれぞれ調整し、且つ調整済の前記所定の表示情報を前記処理装置へそれぞれ伝送するステップと、
前記処理装置はすでに調整済の前記所定の表示情報を受信し、且つ対応する前記表示領域を更新するステップと、
前記出力装置は前記表示領域のデータに基き、定期的に前記表示情報を更新するステップと、
を含むことを特徴とするLANによる多対一の伝送と情報表示の方法を提供する。
【０００９】
本発明のLANによる多対一の伝送と情報表示システムは第一電子装置と、少なくとも一つの第二電子装置と、少なくとも一つの処理装置と、及び出力装置と、を備え、前記出力装置と前記処理装置とが信号で接続し、情報を表示し、前記第一電子装置、前記第二電子装置及び前記処理装置はLAN上にあり、上記方法を実行するが、ここでは特に述べない。
【発明の効果】
【００１０】
本発明のLANによる多対一の伝送と情報表示の方法及びシステムによると、所定の表示情報を伝送する前に、まず伝送するデータ量を調整することにより有効にデータ量を減少させ、これによりネットワーク帯域の消耗を有効に減少することができる。同時に処理装置は直接一つの表示画面に統合すれば良いので、情報統合端の画面統合処理に必要な演算量が大幅に減少する。
【発明を実施するための最良の形態】
【００１１】
図３は、本発明の実施の形態であるLANによる多対一の伝送と情報表示の方法及びシステムを示すフローチャートである。図３が示すように、本実施の形態は、第一電子装置３１と、少なくとも１つの第二電子装置３２、及び少なくとも一つの処理装置３３から成るLANに用いられ、情報を表示する出力装置３４を有する。情報の種類はビデオ(Video)、イメージ(Image)、グラフィック(Graphic)、テキスト(Text)、プレゼンテーション(Presentation)、スクリーン・キャプチャ(Screen  Capture)或いはこれらを組み合わせた形式の情報である。
【００１２】
図３が示すように、本発明の方法の実行過程は、先ず、第一電子装置３１が使用者にリストの中の一つの処理装置３３を選べるように前記LAN上の処理装置３３を含むリストを提供する（S301）。使用者が処理装置３３を選択した後、第一電子装置３１は選択された処理装置３３と接続関係を立てる。ネットワークの接続方式は本業者にとって熟知のことであり、例えば、第一電子装置３１が使用要求を、選択された処理装置３３へ通知すると、選択された処理装置３３は応答を送信して接続関係が生じる。故に接続の方法はここでは詳しく述べない。次に第一電子装置３１は画面配置LOを選択された処理装置３３へ伝送する（S302）。画面配置LOはM個の表示領域とそれぞれの表示領域の幾何情報を含む（M≧２であり、Mは正整数）。第一電子装置３１は、次に誘い要求と画面配置LOを第二電子装置３２へ伝送し（S303）、第二電子装置32に情報を出力装置３４に伝送して表示するように要求する。第二電子装置３２は誘いを受信した場合、第二電子装置３２は選択された処理装置３３に通知する（S304）。処理装置３３は画面配置LO及び分配原則に基き、表示領域を順に第一電子装置３１及びN個の誘われた第二電子装置３２へ分配して表示情報を表示する（S305）（１≦N≦M-1であり、Nは正整数）。例えば、モニタ画面を４分割し、その４つの表示領域を４つの電子装置に提供して情報を表示する。このうち一つの表示領域は第一電子装置３１が使用し、残りの３つの表示領域は先着順により誘われた第二電子装置３２に分配する。
【００１３】
第一電子装置３１及び第二電子装置３２は分配された表示領域の幾何情報に基き、所定の表示情報の幾何寸法をそれぞれ調整する（S306）。例えば、画面の解像度を落とした後、調整された所定の表示情報を処理装置へそれぞれ伝送する（S307）。処理装置３３は調整された所定の表示情報を受信し、且つ対応する表示領域を更新する（S308）。最後に出力装置３４はそれぞれの表示領域のデータに基き定期的に画面を更新する。
【００１４】
図４は第一電子装置３１の詳細な実行手順を示す。先ず、第一電子装置３１は、LAN上の処理装置を検索し（S401）、リストを作成する。これは、使用者がリストの提供を要求した場合にこの操作を実行することもできるし、又第一電子装置３１がアイドルしている場合、或いはLANがアイドルしている場合に、予め検索することができる。次に第一電子装置３１は処理装置を含むリストを提供し、使用者に選択させる（S402）。使用者が処理装置３３を選択した後、第一電子装置３１は選択された処理装置３３と接続関係を生じる。その接続方法は本業者が熟知のことであるのでここでは述べない。接続後、第一電子装置３１は画面配置LOを処理装置３３へ伝送する（S406）。
【００１５】
なお、処理装置３３が安全設定を備えている場合、第一電子装置３１が処理装置３３の使用を要求すると、先に検証工程を行う必要がある（S403）。例えば、パスワードを入力させるなどの方法により検証を行い、検証が終わった後に次のステップに入る（S404）。さもなくば、検証が完了するまで検証を行うか、或いは使用者は検証を放棄しシステムから退出する。この他、第一電子装置３１は複数の画面配置LOのテンプレート(template)を使用者に提供して（S405）、例えば、４分割、９分割等使用者がモニタを企画できるよう選択させる。
【００１６】
次に、第一電子装置３１は第二電子装置３２へ誘い要求と画面配置LOを伝送する（S407）。なお、この誘い要求の形式は限定がなく、第一電子装置３１からの発信だけでなく、使用者が直接口頭で誘ってもよく、この誘い方法は会議進行中に特に適している。
【００１７】
処理装置３３は、画面配置LOに基いて、表示領域を順に第一電子装置３１及び誘われた第二電子装置３２へ分配して情報を表示させる。第一電子装置３１は、分配された表示領域の情報を受信した（S408）後、表示領域の幾何情報に基き、所定の表示情報の幾何寸法を調整できる（S409）。例えば、表示領域が長方形であれば、前記表示領域の幾何情報には、長方形の長さ、幅及び/或いは前記長方形の座標、例えば長方形の端点座標である。その後、第一電子装置３１は調整された所定の表示情報を処理装置３３へ伝送する（S411）。最後に、使用者が情報伝送の終了を要求したか否かを判断し、もし終了の要求をしていなければ、ステップS409へ戻り、所定の表示情報を調整し続いて伝送する。ネットワーク帯域を更に節約するためには、所定の表示情報を伝送する前に、まず圧縮エンコードの工程を行い（S410）、処理装置３３が圧縮エンコードされた情報を受信した場合、対応するデコードを行うことにより受信した情報を正常に処理することができる。
【００１８】
図５は第二電子装置３２の詳細な実行手順を示すフローチャートである。先ず、第二電子装置３２は第一電子装置３１の誘い要求と画面配置LOを受信する（S501）。第二電子装置３２が誘いを受け入れない（S502）場合は直接終了する。第二電子装置３２が誘いを受け入れた場合、選択された処理装置３３に通知して接続を立て（S503）、例えば使用請求を伝送する。処理装置３３は画面配置LOに基き、表示領域を順に第一電子装置３１と誘われた第二電子装置３２へ分配して情報を表示する。第二電子装置３２は分配された表示領域の情報を受信した（S504）後、表示領域の幾何情報に基き、所定の表示情報の幾何寸法を調整し（S505）、次に調整された所定の表示情報を処理装置３３へ伝送する（S507）。最後に、使用者が情報伝送の終了を要求したか否かを判断し、終了の要求をしていなければ、ステップS505へ戻り、所定の表示情報を調整し続いて伝送する。同様に、第二電子装置３２は所定の表示情報を伝送する前に、先に圧縮エンコードの工程を行い（S506）、処理装置３３は圧縮エンコードされた情報を受信した場合、対応するデコードの工程を行う。
【００１９】
図６は処理装置３３の実行手順を示すフローチャートである。先ず、処理装置３３が第一電子装置３１と接続した後、処理装置３３は第一電子装置３１が伝送した画面配置LOを受信する（S601）。画面配置LOはM個の表示領域とそれぞれの表示領域の幾何情報を含む（M≧２であり、Mは正整数）。なお、処理装置３３が安全設定を備えていれば、第一電子装置３１が処理装置３３と接続を立てる際、先にパスワードを入力するなどの方法で検証工程を行わなければならない。次に、誘われた第二電子装置３２の使用請求を検知して受信する（S602）。処理装置３３は先着順により、画面配置中の表示領域を第一電子装置３１及び誘われた第二電子装置３２に分配する（S603）。それから、処理装置３３は第一電子装置３１及び第二電子装置３２から伝送された調整済みの所定の表示情報の受信を待つ（S604）。調整された所定の表示情報が圧縮エンコードを経た場合は、処理装置３３は後続処理のため、デコード工程を行う（S605）。処理装置３３は受信した調整済みの所定の表示情報を一つの表示情報、即ち一つの表示画面に統合し（S606）、それから、出力装置３４へ伝送して表示させる（S607）。使用者が終了を要求するまで、このようにS604からS607までのステップを繰り返し行う。
【００２０】
図８は、処理装置３３が画面配置LOの表示領域８１に基いて所定の表示情報を表示画面８に分配・統合する以外、第一電子装置３１及び第二電子装置３２の装置名称或いは使用者名を、対応する表示領域８１にそれぞれ表示することもできる。図８が示すように、使用者名８１１を対応する表示領域８１の右下に表示する。同様に、第一電子装置３１及び第二電子装置３２の使用者インターフェースは使用中の表示領域を表示することができる。図９が示すように、伝送端の使用者インターフェース９１〜９４上の図９１１は、使用中の表示領域を表示する。例えば、図８の表示領域に対応して、伝送端Thomasが左上の表示領域を使用していることを、使用者インターフェース９１上の図９１１に示している。
【００２１】
なお、第一電子装置３１がS409からS412のステップを繰り返すときは、使用者の要求により随時画面配置LOを変更できる。例えば、第一電子装置３１は同一の画面配置の分配状態の変更を要求し、或いは直接画面配置LOを変更することができる。同じ理由で第二電子装置３２もS505からS508のステップを繰り返す際に、使用者の要求により画面配置LOを随時変更できる。画面配置LOを変更する処理工程は図７に示すとおりである。第一電子装置３１或いは第二電子装置３２が、処理装置３３に画面配置LOの変更を要求する(S701)。処理装置３３はフルスクリーン（full screen）モード要求であるか否かを判断する（S702）。フルスクリーンモード要求でなければ、ステップS703を実行し、処理装置３３は第一電子装置３１及び第二電子装置３２に画面配置LOの更新を通知する。第一電子装置３１及び第二電子装置３２は更新後の画面配置LOにより所定の表示情報を調整し、処理装置へ伝送する（S704）。その後の調整及び伝送のステップは前に説明した通りである。
【００２２】
更新する画面配置の要求がフルスクリーンモードである場合、ステップS705を実行し、処理装置はフルスクリーンモードの要求を出していない第一電子装置３１或いは第二電子装置３２に、所定の表示情報の伝送を停止するよう要求するか、或いは処理装置３３はこれらの所定の表示情報を処理しない。次に、処理装置３３は、フルスクリーンモードの要求を出した第一電子装置３１或いは第二電子装置３２が伝送した所定の表示情報のみ受信する（S706）。フルスクリーンモードの要求を出した第一電子装置３１或いは第二電子装置３２がフルスクリーンモードの終了を要求したか否かを判断する（S707）。要求していない場合、S706のステップを繰り返し、要求した場合は処理装置３３は元の表示領域の分配状態を第一電子装置３１及び第二電子装置３２に通知する（S708）。第一電子装置３１及び第二電子装置３２は、元の表示領域の幾何情報により所定の表示情報を調整して伝送する（S709）。なお、フルスクリーンモードへ入る場合、処理装置は失効命令を出して、要求を出していないその他の第一電子装置３１及び第二電子装置３２のフルスクリーンモード要求を失効させ、フルスクリーンモードの際に、その他の電子装置がフルスクリーンモードの要求を出すのを防止することができる。例えば、図９が示すように、伝送端Thomasが９２１ボタンを押してフルスクリーンモードをスタートする場合、その他の伝送端の９２１ボタンは失効し、フルスクリーンモードの要求を実行できないことになる。
【００２３】
図３は、本発明の実施形態であるLANによる多対一の伝送と情報表示システムを示す。本発明に係るシステムは、第一電子装置３１と、少なくとも一つの第二電子装置３２と、少なくとも一つの処理装置３３と、出力装置３４と、を備える。第一電子装置３１、第二電子装置３２及び処理装置３３が互いに信号で接続しLANを形成する。前記LANは有線或いは無線LANである。処理装置３３及び出力装置３４は有線或いは無線の方法で接続し、或いは一体に統合してもよい。出力装置３４は情報を表示する投影機、モニタ或いはテレビなどである。
【００２４】
第一電子装置３１、第二電子装置３２及び処理装置３３は上記のステップを実行するのでここでは特に述べない。本発明のシステムを無線LANに応用した例をあげると、第一電子装置３１、第二電子装置３２及び処理装置３３はコンピュータ、PDA(Personal  Digital  Assistant)、携帯電話等であり、無線映写機アダプタ（Wireless  Projector  Adapter）、無線セット・アップ・ボックス（Wireless  Setup  Box）、無線デジタルメディアアダプタ（Wireless  Digital  Media  Adapter）、無線CDプレーヤー（Wireless  Optical  Disc  Player）、無線DVDプレーヤー、無線ビデオレコーダー、無線ゲーム機、無線ポータブルメディアプレーヤー等であってもよい。
【００２５】
本発明のLANによる多対一の伝送と情報表示の方法及びシステムによると、所定の表示情報を伝送する前に、先ず表示領域の幾何寸法に対して調整を行い、伝送するデータ量を有効に減らすので、ネットワーク帯域の消耗を有効に減らすことが可能である。この他、所定の表示情報は、既に第一電子装置及び第二電子装置にて表示領域の幾何寸法に基いて調整されるので、処理装置はそれを直接一つの表示画面に統合すれば良い。このため、情報統合端(即ち本発明の処理装置)の画面統合処理の演算量が大幅に減少し、これにより演算処理能力がより低いハードウェアでも本発明を実行でき、コストを低下することができる。
【００２６】
以上、本発明の実施例を図面を参照に詳述してきたが、具体的な構成は、この実施例に限られるものではなく、本発明の要旨を逸脱しない範囲の設計変更などがあっても、本発明に含まれる。
【図面の簡単な説明】
【００２７】
【図１】従来の多対一の伝送と情報表示の仕組みを示す図である。
【図２】別の従来の多対一の伝送と情報表示の仕組みを示す図である。
【図３】本発明の実施の形態であるLANによる多対一の伝送と情報表示方法及びシステムを示す構成である。
【図４】本発明の実施の形態における第一電子装置の実行手順のフローチャートである。
【図５】本発明の実施の形態における第二電子装置の実行手順のフローチャートである。
【図６】本発明の実施の形態における処理装置の実行手順のフローチャートである。
【図７】本発明の実施の形態における画面配置の更新の実行手順を示すフローチャートである。
【図８】本発明の実施の形態における画面表示を示す略図である。
【図９】本発明の実施の形態における伝送端の使用者インターフェースを示す略図である。
【符号の説明】
【００２８】
１、２  従来の多対一の伝送と情報表示のシステム
１１、２１  第一電子装置
１２、１３、２２、２３  第二電子装置
１４、２４  第三電子装置
１５  出力装置
３  本発明の方法及びシステム
３１  第一電子装置
３２  第二電子装置
３３  処理装置
３４  出力装置
８  表示画面
８１  表示領域
８１１  使用者名
９１〜９４  伝送端の使用者インターフェース
９１１  表示中の領域を示す図
９２１  フルスクリーンモードを要求するボタン
IPF  統合処理をした画面
LO  画面配置
S301〜S308  本発明の実施の形態の実行手順
S401〜S412  本発明の第一電子装置の実行手順
S501〜S508  本発明の第二電子装置の実行手順
S601〜S608  本発明の処理装置の実行手順
S701〜S709  本発明の画面配置の更新の実行手順
UPD  未処理情報
【図１】
2007157104.tif 000003
【図２】
2007157104.tif 000004
【図３】
2007157104.tif 000005
【図４】
2007157104.tif 000006
【図５】
2007157104.tif 000007
【図６】
2007157104.tif 000008
【図７】
2007157104.tif 000009
【図８】
2007157104.tif 000010
【図９】
2007157104.tif 000011